(57)【要約】      （修正有）【課題】液体噴射ヘッドのノズル開口列の角度の調整分解能を高めることができるヘッド取付位置調整機構及びそのヘッド取付位置調整機構を備えた液体噴射装置と記録装置を提供する。【解決手段】キャリッジに搭載された液体噴射ヘッドのノズル開口列の角度を調整するヘッド取付位置調整機構３０が、液体噴射ヘッドが固定され、一端を中心に旋回自在なヘッドプレート３１と、ヘッドプレートを旋回一方向に押圧するレバープレート３２と、ヘッドプレートを旋回他方向に押圧し、かつ旋回量がネジ調整可能な調整手段３３とを備える。これにより、ヘッドプレートを無段階で調整することができるので、液体噴射ヘッドのノズル開口列の角度の調整分解能を高めることができる。【選択図】図５
2007276288.tif 000002
【特許請求の範囲】
【請求項１】
キャリッジに搭載された液体噴射ヘッドのノズル開口列の角度を調整するヘッド取付位置調整機構であって、
前記液体噴射ヘッドが固定され、一端を中心に旋回自在なヘッドプレートと、
前記ヘッドプレートを旋回一方向に押圧するレバープレートと、
前記ヘッドプレートを旋回他方向に押圧し、かつ当該旋回量がネジ調整可能な調整手段とを備えたことを特徴とするヘッド取付位置調整機構。
【請求項２】
前記レバープレートの旋回軸と前記調整手段は、前記ヘッドプレートの旋回軸に対し対向する側に配置されていることを特徴とする請求項１に記載のヘッド取付位置調整機構。
【請求項３】
前記レバープレートにおける前記ヘッドプレートとの押圧面が、下方を向く斜面に形成されていることを特徴とする請求項１又は２に記載のヘッド取付位置調整機構。
【請求項４】
前記キャリッジにおける前記ヘッドプレートとの当接部分は、前記ヘッドプレートを前記キャリッジに固定する固定手段の周囲部分と、前記レバープレートにおける前記ヘッドプレートとの押圧部の周囲部分であることを特徴とする請求項１〜３の何れか一項に記載のヘッド取付位置調整機構。
【請求項５】
前記液体噴射ヘッドから被噴射媒体に液体を噴射する液体噴射装置であって、
請求項１〜４の何れか一項に記載のヘッド取付位置調整機構を備えたことを特徴とする液体噴射装置。
【請求項６】
被記録媒体に記録する記録装置であって、
請求項５に記載の液体噴射装置を備えたことを特徴とする記録装置。
【発明の詳細な説明】
【技術分野】
【０００１】
本発明は、キャリッジに搭載された液体噴射ヘッドのノズル開口列の角度を調整するヘッド取付位置調整機構及びそのヘッド取付位置調整機構を備えた液体噴射装置と記録装置に関する。
【背景技術】
【０００２】
記録装置の１つであるシリアル方式のインクジェット式プリンタは、搬送部の紙送りローラにより用紙を副走査方向に搬送しつつ、記録部のキャリッジを主走査方向に往復移動させてキャリッジに搭載されている記録ヘッドのノズル開口からインクを吐出し記録するようになっている。このようなインクジェット式プリンタは、記録ヘッドのノズル開口列の角度が記録精度に大きく影響を及ぼす。このため、キャリッジガイド軸に支持されたメインキャリッジと記録ヘッドを搭載したサブキャリッジを備え、サブキャリッジをメインキャリッジに対して位置調整することにより記録ヘッドのノズル開口列の角度を調整する機構を備えたインクジェット式プリンタが提案されている（特許文献１参照）。
【０００３】
【特許文献１】特開２００５−１９３４５８号公報
【発明の開示】
【発明が解決しようとする課題】
【０００４】
上述したインクジェット式プリンタは、キャリッジガイド軸に対して偏心カムを回転させ、ノッチ位置を切替えることにより記録ヘッドのノズル開口列の角度を調整している。ところが、記録ヘッドが複数搭載された場合は、実質的なノズル開口列の長さが長くなるので、調整分解能を高める必要があるが、上述したノッチ式調整機構では限界がある。
【０００５】
本発明は、上記のような課題に鑑みなされたものであり、その目的は、液体噴射ヘッドのノズル開口列の角度の調整分解能を高めることができるヘッド取付位置調整機構及びそのヘッド取付位置調整機構を備えた液体噴射装置と記録装置を提供することにある。
【課題を解決するための手段】
【０００６】
上記目的達成のため、本発明のヘッド取付位置調整機構では、キャリッジに搭載された液体噴射ヘッドのノズル開口列の角度を調整するヘッド取付位置調整機構であって、前記液体噴射ヘッドが固定され、一端を中心に旋回自在なヘッドプレートと、前記ヘッドプレートを旋回一方向に押圧するレバープレートと、前記ヘッドプレートを旋回他方向に押圧し、かつ当該旋回量がネジ調整可能な調整手段とを備えたことを特徴としている。これにより、ヘッドプレートを無段階で調整することができるので、液体噴射ヘッドのノズル開口列の角度の調整分解能を高めることができる。
【０００７】
また、前記レバープレートの旋回軸と前記調整手段は、前記ヘッドプレートの旋回軸に対し対向する側に配置されていることを特徴としている。これにより、ヘッドプレートを両側から挟み込んで強固に固定することができるので、高精度調整した状態を長く維持することができる。また、前記レバープレートにおける前記ヘッドプレートとの押圧面が、下方を向く斜面に形成されていることを特徴としている。これにより、ヘッドプレートはレバープレートにより斜め下向きの力で押さえ付けられるので、ヘッドプレートを更に強固に固定することができる。
【０００８】
また、前記キャリッジにおける前記ヘッドプレートとの当接部分は、前記ヘッドプレートを前記キャリッジに固定する固定手段の周囲部分と、前記レバープレートにおける前記ヘッドプレートとの押圧部の周囲部分であることを特徴としている。これにより、ヘッドプレートとキャリッジとの摩擦を小さくすることができるので、調整時にヘッドプレートをキャリッジ内でスムーズに動かして高精度に調整することができる。
【０００９】
上記目的達成のため、本発明の前記液体噴射ヘッドから被噴射媒体に液体を噴射する液体噴射装置では、上記各ヘッド取付位置調整機構を備えたことを特徴としている。また、上記目的達成のため、本発明の被記録媒体に記録する記録装置では、上記液体噴射装置を備えたことを特徴としている。これにより、上記作用を奏する液体噴射装置又は記録装置を提供することができる。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の実施の形態に係る記録装置の１つであるプリンタの構成例を示す斜視図、図２は、そのプリンタの主要部の内部構成例を示す斜視図、図３は、そのプリンタの概略断面側面図である。図１及び図２に示すプリンタ１００は、例えばＪＩＳ規格のＡ０判やＪＩＳ規格のＢ０判といった比較的大型サイズの用紙（被噴射媒体）にまで記録できる大型のインクジェット式プリンタであり、給紙部１１０と、搬送部２１０と、排紙部１３０と、脚部１４０がこの順で上部から配設された構成となっている。そして、本発明の特徴的な部分を含む記録部（液体噴射装置）１２０が、搬送部２１０の斜め上方に配設されている。
【００１２】
プリンタ本体として一体化された記録部１２０、搬送部２１０、排紙部１３０は、給紙部１１０と脚部１４０に対して分離可能に構成されており、記録部１２０及び搬送部２１０を制御する制御部２００が内蔵されている。プリンタ本体の上面及び前面には、上蓋１２５及び前蓋１２６が記録部１２０や搬送部２１０等を覆うように取り付けられている。上蓋１２５は、後部が回動可能に支持されており、前部を持って押し上げ、あるいは押し下げることにより開閉するようになっている。前蓋１２６は、下部が回動可能に支持されており、上部を持って押し下げ、あるいは押し上げることにより開閉するようになっている。ユーザは、上蓋１２５や前蓋１２６を開放することにより、それらの開放口を通して内部機構のメンテナンス作業等を行うことができる。
【００１３】
給紙部１１０は、図１に示すように、記録部１２０の上部後方に突き出るように設けられている。そして、給紙部１１０の内部には、図２に示すように、２本のロール紙（用紙）がセット可能なロール紙ホルダ１１１が斜め上下に設けられ、給紙部１１０の前面には、図１及び図２に示すように、跳ね上げ式の開閉可能なロール紙カバー１１２がロール紙ホルダ１１１を覆うように取り付けられている。このロール紙カバー１１２により、ロール紙ホルダ１１１に保持されているロール紙の汚染を防止することができると共に、ユーザの安全を確保することができる。
【００１４】
ロール紙ホルダ１１１は、ロール紙を保持するスピンドル１１３と、給紙部１１０の両側壁内面に取り付けられて、スピンドル１１３の着脱及び懸架が可能な一対のスピンドル受け１１４、１１５を備えている。そして、スピンドル１１３は、中央にロール紙が装着された後、両端がスピンドル受け１１４、１１５に装着され、回転可能に軸支持されるようになっている。ロール紙カバー１１２は、上部が回動可能に支持されており、下部を持って持ち上げ、あるいは押し下げることにより開閉するようになっている。ユーザは、ロール紙カバー１１２の開閉を容易に行うことができ、ロール紙の交換作業時間等を短縮させることができる。
【００１５】
搬送部２１０は、図３に示すように、給紙部１１０から記録部１２０にかけて配設された平坦な給紙ガイド２１１、対向配置された接触・離間可能な紙送りローラ２１２及び従動ローラ２１３、キャリッジ１２２に搭載された記録ヘッド１２１と対向配置された平坦なプラテン２１４、記録部１２０から排紙部１３０にかけて配設された平坦な紙吸引部２１５、排紙部１３０に配設された排紙ガイド１３１を備えている。給紙ガイド２１１、排紙ガイド１３１の各表面は、用紙搬送面として作用する。
【００１６】
プラテン２１４の表面は、用紙搬送案内面として作用すると共に用紙吸引面としても作用する。即ち、プラテン２１４は、主走査方向に複数並設された吸引口２１４ａを備えており、記録部１２０の内部に配設されたファン２１７により外気が各吸引口２１４ａから吸引されることにより、プラテン２１４上を搬送されるロール紙を吸着するようになっている。従って、記録時において特にロール紙の幅が広くてもロール紙はプラテン２１４上で全幅にわたって確実に吸引されて平坦になるので、記録精度を高精度に維持することができる。
【００１７】
紙吸引部２１５の表面は、用紙搬送面及び用紙吸引面として作用する。即ち、紙吸引部２１５は、主走査方向に複数並設され、副走査方向に３列配設された吸引口２１５ａ、２１５ｂ、２１５ｃを備えており、記録部１２０の内部に配設されたファン２１７により外気が各吸引口２１５ａ、２１５ｂ、２１５ｃから吸引されることにより、紙吸引部２１５上を搬送されるロール紙を吸着するようになっている。排紙部１３０は、図１及び図２に示すように、ロール紙を副走査方向に搬送する経路の一部を成す排紙ガイド１３１と、ロール紙を副走査方向に搬送する図示しない排紙ローラを備えている。また、排紙部１３０の前面側から見て右側には、インクカートリッジを収納保持するカートリッジホルダ１５０が配設されている。
【００１８】
脚部１４０は、図１及び図２に示すように、移動用のベアリング１４１を有する２本の支持柱１４２と、これらの支持柱１４２の間に掛け渡されている補強棒１４３を備えている。そして、支持柱１４２の上部にプリンタ本体１１０、１２０、１３０が載置されネジ止め固定されるようになっている。ユーザは、プリンタ１００のメンテナンス等のために背面側を見たいときや、プリンタ１００の設置場所を変更したいときに、ベアリング１４１によりプリンタ１００を容易に移動させることができる。制御部２００は、プリンタコントローラを構成する図示しないメイン基板を備えている。このメイン基板は、図示しないＣＰＵ、ＲＯＭ、ＲＡＭ、ＡＳＩＣ等の制御素子や記憶素子、及びその他の各種回路素子が装着されている。そして、プリントエンジンを構成する給紙部１１０、記録部１２０、搬送部２１０等を制御するようになっている。
【００１９】
記録部１２０は、図２に示すように、記録ヘッド（液体噴射ヘッド）１２１及び記録ヘッド１２１を搭載したキャリッジ１２２、記録ヘッド１２１と図３に示す制御部２００とを接続するフレキシブルフラットケーブル（以下、ＦＦＣという）１２３、記録ヘッド１２１とインクが入った図示しないインクカートリッジとをつなぐインク供給チューブ１２４、ロール紙の浮き上がりを防止する図示しない紙吸引手段等を備えている。
【００２０】
記録ヘッド１２１は、ブラックインクを吐出するブラックインク用記録ヘッドと、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００２１】
ＦＦＣ１２３は、一端が制御部２００のコネクタに接続され、他端が記録ヘッド１２１のコネクタに接続されており、記録信号を制御部２００から記録ヘッド１２１に送るようになっている。インク供給チューブ１２４は、各色のインク用が配設されており、図示しないインク加圧供給手段を介して各一端が対応する各色のインクカートリッジに繋がれ、各他端が対応する各色の記録ヘッド１２１に繋がれている。そして、インク供給チューブ１２４は、図示しないインク加圧供給手段によって加圧された各色のインクをインクカートリッジから記録ヘッド１２１に送るようになっている。
【００２２】
図４は、キャリッジ１２２とその周辺部の詳細を示す斜視図である。このキャリッジ１２２は、メインキャリッジ２１とサブキャリッジ２２の２体構造で構成されている。メインキャリッジ２１は、側面視Ｌ字の板状に形成されており、一端側にキャリッジガイド軸１２７が軸受２３を介して貫装され、他端側にサブキャリッジ２２が装着されている。このキャリッジガイド軸１２７は、軸方向が主走査方向を向くように配設され、両端が図示しないサイドフレームに支持されている。サブキャリッジ２２は、三方が開放された箱状に形成されており、底面に本発明の特徴的な部分であるヘッド取付位置調整機構３０を介して記録ヘッド１２１が搭載されている。尚、この例では、キャリッジ１２２には２つの記録ヘッド１２１が搭載可能であるが、図では１つの記録ヘッド１２１が搭載された状態を示している。
【００２３】
更に、メインキャリッジ２１は、一端側の上部に図２に示す無限軌道のキャリッジベルト１２８ａが図示しない係止部を介して係止されている。このキャリッジベルト１２８ａは、キャリッジガイド軸１２７と平行に配設され、両側に配設された図示しないキャリッジプーリに張架されている。尚、一方のキャリッジプーリには、図示しないキャリッジモータが連接されている。また、メインキャリッジ２１は、一端側の上部に図示しないリニアエンコーダセンサが図示しない取付部を介して取り付けられている。このリニアエンコーダセンサは、キャリッジガイド軸１２７と平行に配設された図示しないリニアエンコーダスケールを挟み込むように配設されている。
【００２４】
このような構成によれば、キャリッジ１２２は、キャリッジモータの駆動によりキャリッジベルト１２８ａが作動すると、キャリッジベルト１２８ａの動きに連行され、キャリッジガイド軸１２７に案内されて往復移動する。このときのキャリッジ１２２の往復移動位置は、リニアエンコーダセンサによりリニアエンコーダスケールから検出されるので、記録ヘッド１２１のインク滴の吐出タイミングに同期させて高精度な記録を行うことができる。
【００２５】
図５は、上記ヘッド取付位置調整機構３０を示す斜視図、図６は、その分解斜視図である。このヘッド取付位置調整機構３０は、サブキャリッジ２２に搭載された記録ヘッド１２１のノズル開口列の角度が調整可能な機構であり、ヘッドプレート３１、レバープレート３２及びヘッド調整機構（調整手段）３３を備えている。ヘッドプレート３１は、矩形平板状に形成されており、２つの矩形状のヘッド取付穴３１ａが穿設されている。そして、ヘッドプレート３１の図示手前の一辺側の図示左角部には、サブキャリッジ２２の底板２２ａに突設された旋回軸２２ｂが挿入される切欠き部３１ｂが設けられている。
【００２６】
レバープレート３２は、Ｌ字帯板状に形成されており、一端側は鉤状の係止部３２ａが設けられ、その近傍にはヘッドプレート３１を図示手前方向に押圧する三角板状のヘッドプレート押圧部３２ｂが突設され、他端側は引張バネ３４の一端が係止されている。このヘッドプレート押圧部３２ｂの先端のヘッドプレート押圧面３２ｂｂは、下方を向く斜面に形成されている。ヘッド調整機構３３は、ヘッド調整ネジ３３ａが当接される調整当接部３３ｂと、ヘッド調整ネジ３３ａが螺合されるネジ螺合部３３ｃを備えている。ヘッド調整ネジ３３ａのネジ頭円周部には、目盛りが刻印され、ネジ螺合部３３ｃには、ヘッド調整ネジ３３ａを回転させたときの目盛りを指示する矢印が刻印されており、無段階であって高分解能な微調整が可能となっている。
【００２７】
このような構成において、ヘッドプレート３１は、切欠き部３１ｂに旋回軸２２ｂが挿入されてサブキャリッジ２２の底板２２ａ上に載置され、ヘッドプレート３１の図示手前の一辺側に２本のヘッドプレート固定ネジ（固定手段）３１ｃが挿入されて締結される。レバープレート３２は、サブキャリッジ２２の背板２２ｃと右側板２２ｄの外側に沿って配置され、係止部３２ａが背板２２ｃに穿設されている係止穴２２ｅに挿入係止され、ヘッドプレート押圧部３２ｂが背板２２ｃに穿設されている窓穴２２ｆから突出配置される。そして、レバープレート引張バネ３４の他端が右側板２２ｄに設けられている係止爪２２ｇに係止され、レバープレート引張バネ３４の一端近傍にレバープレート固定ネジ３２ｃが挿入されて締結される。
【００２８】
ヘッド調整機構３３は、調整当接部３３ｂがヘッドプレート３１の図示手前の一辺側の図示右角部にネジ固定され、この調整当接部３３ｂとヘッド調整ネジ３３ａが当接可能なように、ネジ螺合部３３ｃがサブキャリッジ２２の底板２２ａにネジ固定されている。そして、サブキャリッジ２２の底板２２ａにおける、ヘッドプレート３１を締結するヘッドプレート固定ネジ３１ｃの螺合部（固定手段の周囲部分）２２ｈと、レバープレート３２のヘッドプレート押圧部３２ｂに押圧される押圧部分３１ｄと摺動する摺動部（押圧部の周囲部分）２２ｉは、上方に盛り上がった半抜き状に形成されている。
【００２９】
図７は、ヘッド取付位置調整機構３０の調整動作を説明する図である。ユーザは、ヘッドプレート３１のヘッドプレート固定ネジ３１ｃとレバープレート３２のレバープレート固定ネジ３２ｃを緩め、ヘッド調整機構３３のヘッド調整ネジ３３ａを例えば右回転させる。これにより、ヘッド調整機構３３のヘッド調整ネジ３３ａは、ヘッド調整機構３３のネジ螺合部３３ｃから図示上方へ突出てヘッド調整機構３３の調整当接部３３ｂを図示上方へ押圧する。すると、ヘッドプレート３１は、サブキャリッジ２２の旋回軸２２ｂを中心に図示左方向へ旋回して、ヘッドプレート３１の押圧部分３１ｄが、レバープレート３２のヘッドプレート押圧部３２ｂを押圧する。すると、レバープレート３２は、係止部３２ａを中心に図示左方向へ旋回する。
【００３０】
このとき、レバープレート３２は、ヘッド調整機構３３がサブキャリッジ２２の旋回軸２２ｂに対して対向配置され、かつレバープレート引張バネ３４により図示右回転方向に引張られているので、任意の旋回位置に位置決めしたヘッドプレート３１を両側から挟み込んで強固に固定することができると共に、高精度調整した状態を長く維持することができる。そして、ユーザは、ヘッドプレート３１のヘッドプレート固定ネジ３１ｃとレバープレート３２のレバープレート固定ネジ３２ｃを締めて調整動作を完了する。以上により、サブキャリッジ２２に搭載された記録ヘッド１２１のノズル開口列の角度を図示左回転方向に微調整することができる。
【００３１】
一方、ユーザは、ヘッドプレート３１のヘッドプレート固定ネジ３１ｃとレバープレート３２のレバープレート固定ネジ３２ｃを緩め、ヘッド調整機構３３のヘッド調整ネジ３３ａを左回転させる。これにより、ヘッド調整機構３３のヘッド調整ネジ３３ａは、ヘッド調整機構３３のネジ螺合部３３ｃから図示下方へ突出る。このとき、レバープレート３２は、レバープレート引張バネ３４により図示右回転方向に引張られているので、レバープレート３２のヘッドプレート押圧部３２ｂが、ヘッドプレート３１の押圧部分３１ｄを押圧する。すると、ヘッドプレート３１は、サブキャリッジ２２の旋回軸２２ｂを中心に図示右方向へ旋回する。
【００３２】
このとき、ヘッド調整機構３３の調整当接部３３ｂは、ヘッド調整機構３３のヘッド調整ネジ３３ａに追従するので、ヘッドプレート３１を任意の旋回位置に位置決めすることができる。そして、レバープレート３２は、ヘッド調整機構３３がサブキャリッジ２２の旋回軸２２ｂに対して対向配置され、かつレバープレート引張バネ３４により図示右回転方向に引張られているので、任意の旋回位置に位置決めしたヘッドプレート３１を両側から挟み込んで強固に固定することができると共に、高精度調整した状態を長く維持することができる。そして、ユーザは、ヘッドプレート３１のヘッドプレート固定ネジ３１ｃとレバープレート３２のレバープレート固定ネジ３２ｃを締めて調整動作を完了する。以上により、サブキャリッジ２２に搭載された記録ヘッド１２１のノズル開口列の角度を図示右回転方向に微調整することができる。
【００３３】
尚、ヘッドプレート３１は、サブキャリッジ２２の底板２２ａ上に載置されたときは、２箇所の螺合部２２ｈと１箇所の摺動部２２ｉに当接して３点支持されているので、ヘッドプレート３１とサブキャリッジ２２との摩擦を小さくすることができ、調整時にヘッドプレート３１をサブキャリッジ２２内でスムーズに動かして高精度に調整することができる。また、ヘッドプレート３１は、レバープレート３２のヘッドプレート押圧部３２ｂの下方を向く斜面に形成されたヘッドプレート押圧面３２ｂｂにより斜め下向きの力で押さえ付けられているので、ヘッドプレート３１を更に強固に固定することができる。
【００３４】
以上のような構成のヘッド取付位置調整機構３０によれば、記録ヘッド１２１のノズル開口列とキャリッジガイド軸１２７との平行度の調整精度を向上させることができるので、特にマルチヘッド記録時の縦罫線ズレを抑えて画質を向上させることができる。また、記録ヘッド１２１のサブキャリッジ２２に対する着脱性を向上させることができるので、ヘッド交換メンテナンス時間を短縮させることが可能となる。
【産業上の利用可能性】
【００３５】
キャリッジを備えた記録装置であれば、例えばファクシミリ装置、コピー装置等であっても適用可能である。また、用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００３６】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの概略断面側面図である。
【図４】図１のプリンタのキャリッジとその周辺部の詳細を示す斜視図である。
【図５】図４のヘッド取付位置調整機構を示す斜視図である。
【図６】図５のヘッド取付位置調整機構の分解斜視図である。
【図７】図４のヘッド取付位置調整機構の調整動作を説明する図である。
【符号の説明】
【００３７】
２１  メインキャリッジ、２２  サブキャリッジ、２２ｂ  旋回軸、２２ｈ  螺合部、２２ｉ  摺動部、３０  ヘッド取付位置調整機構、３１  ヘッドプレート、３１ｃ  ヘッドプレート固定ネジ、３２  レバープレート、３２ｂ  ヘッドプレート押圧部、３２ｂｂ  ヘッドプレート押圧面、３２ｃ  レバープレート固定ネジ、３３  ヘッド調整機構、３３ａ  ヘッド調整ネジ、３３ｂ  調整当接部、３３ｃ  ネジ螺合部、３４  レバープレート引張バネ  １００  インクジェット式プリンタ、１１０  給紙部、１２０  記録部、１２１  記録ヘッド、１２２  キャリッジ、１２７  キャリッジガイド軸、１３０  排紙部、１４０  脚部、１５０  インクカートリッジホルダ、２００  制御部、２１０  搬送部
【図１】
2007276288.tif 000003
【図２】
2007276288.tif 000004
【図３】
2007276288.tif 000005
【図４】
2007276288.tif 000006
【図５】
2007276288.tif 000007
【図６】
2007276288.tif 000008
【図７】
2007276288.tif 000009